(57)【要約】【課題】ドレンを良好に圧送する。【解決手段】弁箱１内上部より垂設した支柱13にフロート14を先端に取付けた梃子杆15の基端部を枢着し、梃子杆15の上下揺動に応じて作動する様に設けたスナップアクションリンク機構部18において上下揺動可能と成したスナップレバー19に駆動流体の吸入弁４と排出弁５を交互に開閉弁可能に連繋した昇降杆12の下端部を枢着し、スナップレバー19の下方揺動状態で、これの先端部19ａが接地する傾斜座部13ｂを支柱13に突設し、先端部19ａには傾斜座部13ｂ上に沿って一辺部26ａが接地する矩形板状のスペーサ26の角部26ｂを枢着し、スペーサ26はスナップレバー19の上方揺動時に自重回転して傾斜座部13ｂ上に一辺部26ａが直立する様に設定され、一辺部26ａの直立状態で角部26ｂの対角部側から延出したアーム27の突端部27ａを、下方揺動する梃子杆15が押圧してスペーサ26を前記と逆方向に回転させる位置に配置した。【選択図】図７
2018062994.tif 000002
【特許請求の範囲】
【請求項１】
ドレンの流入口及び流出口を設けた弁箱内の上部より垂設した支柱の下方にドレンの増減により浮沈するフロートを先端に取付けた梃子杆の基端部を枢着すると共に、該梃子杆の上下揺動に応じて作動する様に設けたスナップアクションリンク機構部において支柱の下方に基端部を枢着して前記梃子杆の反対側で上下揺動可能と成したスナップレバーの適所に昇降杆の下端部を枢着し、該昇降杆に弁箱に設けた駆動流体の吸入弁及び排出弁を交互に開閉弁可能に連繋したポンピングトラップであって、前記支柱の下端部には、昇降杆を介して吸入弁を閉弁させると共に排出弁を開弁させるスナップレバーの下方揺動状態で、スナップレバーの先端部の底部が接地する傾斜座部を突設し、スナップレバーの先端部には、スナップレバーの下方揺動状態で前記傾斜座部上に沿って一辺部が接地する矩形板状のスペーサの前記一辺部側寄りの上向き角部を支軸を以て枢着し、スペーサは昇降杆を介して吸入弁を開弁させると共に排出弁を閉弁させるスナップレバーの上方揺動時に前記支軸を支点として自重回転して傾斜座部上に前記一辺部が直立する様に設定されると共に、該一辺部の直立状態で前記角部の対角部側から適宜に延出形成したアームの突端部を、下方揺動する梃子杆の適所が押圧して前記一辺部を傾斜座部上に復位させる様にスペーサを前記と逆方向に回転させる位置に配置したことを特徴とするポンピングトラップ。
【発明の詳細な説明】
【技術分野】
【０００１】
本発明は、気体圧力を駆動源として液体を圧送するポンピングトラップに関する。
【背景技術】
【０００２】
特許文献１には、ドレンの流入口及び流出口を設けた弁箱内の上部より垂設した支柱の下方にドレンの増減により浮沈するフロートを先端に取付けた梃子杆の基端部を枢着すると共に、該梃子杆の上下揺動に応じて作動する様に設けたスナップアクションリンク機構部において支柱の下方に基端部を枢着して前記梃子杆の反対側で上下揺動可能と成したスナップレバーの適所に昇降杆の下端部を枢着し、該昇降杆に弁箱に設けた駆動流体の吸入弁及び排出弁を交互に開閉弁可能に連繋したポンピングトラップが開示されている。
【０００３】
このポンピングトラップにおいて、流入口は弁箱内へのドレンの流入のみを許容する逆止弁を介してドレン発生機器に接続され、流出口は弁箱外へのドレンの流出のみを許容する別途逆止弁を介してドレン排出機器に接続され、吸入弁は駆動流体（圧縮空気又は蒸気）源に通ずる配管に接続され、排出弁はドレン発生機器の気相に連通する均圧管又は大気に連通する開放管に接続されている。
【０００４】
スナップアクションリンク機構部は、梃子杆の揺動に応じて該梃子杆と同じ側で上下揺動する様に基端部がスナップレバーの基端部と同軸に枢着されたスイッチレバーと、該スイッチレバーの先端部とスナップレバーの先端部を引張コイルバネで連結して成り、弁箱内のドレンの増減により浮沈するフロートによって上下揺動する梃子杆に対応してスイッチレバーが上下揺動することにより発動する引張コイルバネの付勢力によって弾む様にスナップレバーが上下揺動する。
これにより、昇降杆が昇降して駆動流体の吸入弁及び排出弁を交互に開閉弁させ、ドレンを弁箱内に貯留したり、弁箱より圧送する様に成している。
【０００５】
即ち、弁箱内のドレンが低水位の時には、フロートが下降して梃子杆が下向き傾斜し、同様にスイッチレバーが下向き傾斜しており、該スイッチレバー及び梃子杆の反対側でスナップレバーが下向き傾斜して、両レバーの下向き傾斜状態が引張コイルバネによって保持されている。
下向き傾斜しているスナップレバーによって昇降杆は降下し、吸入弁が閉弁すると共に排出弁が開弁して弁箱内の圧力はドレン発生機器内と等圧となり、ドレン発生機器から発生するドレンは入口側の逆止弁を押し開いて弁箱内に流れ込んで溜まる。
【０００６】
そして、ドレンが設定水位に達した時のフロートの浮上位置に応じて上方揺動する梃子杆によってスイッチレバーが上方揺動し、これにより発動する引張コイルバネの付勢力によってスナップレバーが撥ね上がる様に上方揺動する。
すると、昇降杆が上昇し、排出弁が閉弁すると共に吸入弁が開弁して弁箱内に駆動流体を導入し、これにより弁箱内の圧力が上昇して弁箱内のドレンが出口側の逆止弁を押し開いてドレン排出機器へ圧送される。
【先行技術文献】
【特許文献】
【０００７】
【特許文献１】特開２０００−２３９９号公報（図５）
【発明の概要】
【発明が解決しようとする課題】
【０００８】
上記構成のポンピングトラップでは、より高圧な駆動流体を弁箱内に導入すれば、弁箱内のドレンをより高所まで圧送できるが、駆動流体が高圧過ぎると、この高圧力によって開弁中の吸入弁がこれを開弁させている引張コイルバネの付勢力に抗して弁座に着座して閉弁させられると共に、排出弁が開弁することとなり、弁箱内にドレンだけが溜まり圧送できないといった不具合を招来している。
この場合において、付勢力がより強い引張コイルバネを用いて上記高圧力に抗する吸入弁の開弁力を向上させると、フロートの浮沈に応じて引張コイルバネが発動せず、ポンピングトラップの良好な作動が期待できない。
【０００９】
そこで、本発明では、付勢力がより強い引張コイルバネを用いることもなく、駆動流体がより高圧でもドレンを良好に圧送できるポンピングトラップを提供することを目的としている。
【課題を解決するための手段】
【００１０】
上記課題に鑑み、本発明のポンピングトラップは、ドレンの流入口及び流出口を設けた弁箱内の上部より垂設した支柱の下方にドレンの増減により浮沈するフロートを先端に取付けた梃子杆の基端部を枢着すると共に、該梃子杆の上下揺動に応じて作動する様に設けたスナップアクションリンク機構部において支柱の下方に基端部を枢着して前記梃子杆の反対側で上下揺動可能と成したスナップレバーの適所に昇降杆の下端部を枢着し、該昇降杆に弁箱に設けた駆動流体の吸入弁及び排出弁を交互に開閉弁可能に連繋したものであって、前記支柱の下端部には、昇降杆を介して吸入弁を閉弁させると共に排出弁を開弁させるスナップレバーの下方揺動状態で、スナップレバーの先端部の底部が接地する傾斜座部を突設し、スナップレバーの先端部には、スナップレバーの下方揺動状態で前記傾斜座部上に沿って一辺部が接地する矩形板状のスペーサの前記一辺部側寄りの上向き角部を支軸を以て枢着し、スペーサは昇降杆を介して吸入弁を開弁させると共に排出弁を閉弁させるスナップレバーの上方揺動時に前記支軸を支点として自重回転して傾斜座部上に前記一辺部が直立する様に設定されると共に、該一辺部の直立状態で前記角部の対角部側から適宜に延出形成したアームの突端部を、下方揺動する梃子杆の適所が押圧して前記一辺部を傾斜座部上に復位させる様にスペーサを前記と逆方向に回転させる位置に配置したことを特徴とする。
【発明の効果】
【００１１】
要するに本発明は、上記構成より成るので、昇降杆を介して吸入弁を閉弁させると共に排出弁を開弁させるスナップレバーの下方揺動状態では、支柱の下端部に突設した傾斜座部上にスナップレバーの先端部の底部がスペーサの一辺部と共に接地しており、従前通り弁箱内にはドレンが貯留され、ドレンが設定水位に達した時のフロートの浮上位置に応じて上方揺動する梃子杆によってスナップレバーが撥ね上がる様に上方揺動すると、昇降杆を介して吸入弁を開弁させると共に排出弁を閉弁させ、スペーサはスナップレバーの上方揺動で共に上動する支軸を支点として自重回転して傾斜座部上に前記一辺部が直立し、支軸を傾斜座部の上方に保持するため、より高圧な駆動流体を導入することによって吸入弁を強制的に閉弁させて昇降杆を介してスナップレバーを下方へ押し下げる力が働いたとしても、スナップレバーの上方揺動状態を強固に保持でき、排出弁の閉弁状態と吸入弁の開弁状態が維持され、付勢力がより強い引張コイルバネを用いることなく、ドレンを高所まで圧送可能なより高圧な駆動流体でも充分に弁箱内に導入でき、該弁箱の内圧を充分にして迅速に上昇させられ、ドレンを良好に圧送できる。
そして、ドレンの圧送後、ドレンの水位が低下することによりフロートが下降して梃子杆が下方揺動すると、梃子杆の適所がアームの突端部を押圧し、スペーサの上記一辺部が傾斜座部上で直立して支軸を傾斜座部の上方に保持している状態が解除されると共に、スペーサは上記と逆方向に回転してその一辺部を傾斜座部上に沿って接地する様に復位し、スナップレバーは動作可能となって下方揺動し、これにより昇降杆を介して吸入弁を閉弁させると共に排出弁を開弁させ、弁箱内はドレンの貯留可能状態に復帰させられる等その実用的効果甚だ大である。
【図面の簡単な説明】
【００１２】
【図１】ポンピングトラップの一部破断斜視図である。
【図２】ドレン貯留時のポンピングトラップの概略断面図である。
【図３】ドレンが設定水位に達し、吸入弁を開弁させると共に排出弁を閉弁させた時のポンピングトラップの概略断面図である。
【図４】図３の吸入弁と排出弁を示す拡大図である。
【図５】支柱の斜視図である。
【図６】図２の要部拡大図である。
【図７】図３の要部拡大図である。
【図８】図７の平面図である。
【発明を実施するための形態】
【００１３】
以下本発明の実施の一形態例を図面に基づいて説明する。
本発明に係るポンピングトラップは、ドレンＤが貯留可能な所定容積を有する弁箱１を設け、該弁箱１下方の前後にドレンＤの流入口２及び流出口３を設けると共に、弁箱１の上端部には、駆動流体（蒸気）の吸入弁４及び排出弁５を前後に隣接して設けている。
【００１４】
流入口２は弁箱１内へのドレンＤの流入のみを許容する逆止弁（図示せず）を介してドレン発生機器（図示せず）に接続され、流出口３は弁箱１外へのドレンＤの流出のみを許容する別途逆止弁（図示せず）を介してドレン排出機器（図示せず）に接続される。
【００１５】
又、吸入弁４において弁箱１上端面に上向きに開設した吸入口6aは高圧の駆動流体（蒸気）源に通ずる配管（図示せず）に接続され、排出弁５において弁箱１上端面に開設した排出口9aは上記ドレン発生機器の気相に連通する均圧管（図示せず）又は大気に連通する開放管（図示せず）に接続されている。
【００１６】
吸入弁４は、弁箱１の上端部に吸入口6aを有する筒状ケース６を貫装して成り、該ケース６内において吸入口6aの下方にこれよりも小径な弁口6bを設けると共に、該弁口6bの下方であって弁箱１内に突入しているケース６側壁に弁口6bを介して吸入口6aに通ずる弁箱１内との連通口6cを複数設けている。
【００１７】
弁口6bの上方開口部端面は球状の弁体７が着離自在な弁座6dを漏斗状に形成して成り、該弁座6dに対し弁体７を着離させる様に弁口6bより出没自在と成した弁口6bより小径なニードル8aを形成すると共に、該ニードル8aの下方連続して常に連通口6cよりも下方に位置する様に設定された弁棒８をケース５の下方開口部より昇降自在に挿通している。
【００１８】
そして、弁棒８を上昇させてニードル8aが弁体７を弁座6dより離間する様に押し上げて開弁させることにより、弁口6bを介して吸入口6aと弁箱１内を連通させ、弁棒８を下降させて弁体７を弁座6dに着座させて閉弁することにより、吸入口6aと弁箱１内との連通を遮断する様に成している。
尚、ケース６内において開弁状態の弁体７より上方には、該弁体７の抜止め用の止め輪7aを内設している。
【００１９】
排出弁５は、弁箱１の上端部に排出口9aを有する筒状ケース９を貫装して成り、ケース９内において排出口9aの下方にこれよりも小径な弁口9bを設けると共に、該弁口9bの下方であって弁箱１内に突入しているケース９側壁に弁口9bを介して排出口9aに通ずる弁箱１内との連通口9c複数設けている。
【００２０】
弁口9bの下方開口部端面はポペット状の弁体10が着離自在な弁座9dを上方に向うに従い縮径形成して成り、弁体10より下方連続する弁棒10ａを下降させて弁体10を弁座9dより下方へ離間させて開弁すると共に、連通口9cよりも下方に配置することにより、弁口9bを介して排出口9aと弁箱１内を連通させ、弁棒10ａを上昇させて弁体10を弁座9dに着座させて閉弁することにより、排出口9aと弁箱１内との連通を遮断する様に成している。
【００２１】
そして、吸入弁４と排出弁５の各弁棒８、10ａ下端を前後に長い矩形状の水平板11上面に固着することにより連結し、該水平板11下面を後述する所定長さの昇降杆12の上端に連結することにより、該昇降杆12に吸入弁４及び排出弁５を交互に開閉弁可能に連繋する。
【００２２】
弁箱１内の上端部には、側面視長靴状に形成された左右一対の側板13ａを平行配置すると共に、該側板13ａの上端部前方と下端部前方のみを連結して成る支柱13を垂設している。
尚、支柱13は、説明の都合上、図５以外では、部分的に破断した状態で図示されている。
【００２３】
支柱13の下方には、支柱13後方へ指向させた先端にドレンＤの増減により浮沈するフロート14を取付けて成る梃子杆15の基端部を枢着している。
梃子杆15は、その中間に左右を開口した所定径の円筒部15ａを設け、該円筒部15ａの左右開口部側の周壁適所より基端部を突設して二股状と成し、当該二股状の基端部は支柱13における側板13ａ内側に配置して枢軸16で以て枢着される。
【００２４】
円筒部15ａの前方湾出する周壁中央には、円筒部15ａの中空部の中心に向かって突入した突入長さ調節自在なボルトから成る凸部17を配置している。
【００２５】
又、支柱13の下方には、梃子杆15の上下揺動に応じて作動して昇降杆12を上下させる左右一対のスナップアクションリンク機構部18を設けている。
【００２６】
このスナップアクションリンク機構部18は、梃子杆15の反対側（支柱13の前方）で上下揺動可能と成す様に基端部が梃子杆15の基端部と同軸16に枢着されると共に、中間部に昇降杆12の下端部を枢着したスナップレバー19と、梃子杆15と同じ側（支柱13の後方）で上下揺動可能と成と成す様に基端部がスナップレバー19の基端部と同軸16に枢着されたスイッチレバー20と、該スイッチレバー20の先端部とスナップレバー19の先端部を引張コイルバネ21で連結している。
【００２７】
スナップレバー19は、その基体が扁平板状に形成されると共に、梃子杆15の基端部間に配置される基端部を残して左右二股状に形成され、その二股状の先端部19ａを支軸22で横貫し、該支軸22において側板13ａよりも外側に配置して成る左右端部の夫々に左右で一対の引張コイルバネ21の一端部を枢着している。
【００２８】
スイッチレバー20は左右一対の細長板状に形成され、その各基端部が左右の側板13ａ外側面に突出した枢軸16の各端部に枢着され、その各先端部20ａは凸部17の先方を横切る様に円筒部15ａ内に挿通した細長な基軸23の左右端側に枢着され、該基軸23の左右端部には引張コイルバネ21の他端部を先端部20ａに外側に隣接して枢着している。
尚、基軸23において円筒部15ａの挿通部位には凸部17の先端部が触突可能なスリーブカバー23ａを外嵌している。
【００２９】
そして、弁箱１内のドレンＤの増減により浮沈するフロート14によって上下揺動する梃子杆15に対応して円筒部15ａ内の凸部17が基軸23を上方押圧したり、円筒部15ａの後方湾出する内壁が基軸23を下方押圧して、スイッチレバー20が上下揺動することにより発動する引張コイルバネ21の付勢力によって弾む様にスナップレバー19が上下揺動する様に成している。
【００３０】
スナップレバー19の下方揺動では昇降杆12が降下し、該昇降杆12を介して吸入弁４を閉弁させると共に排出弁５を開弁させ、スナップレバー19の上方揺動では昇降杆12が上昇し、該昇降杆12を介して吸入弁４を開弁させると共に排出弁５を閉弁させる様に成している。
【００３１】
又、支柱13において側板13ａの下端部前方で突設した連結箇所には、スナップレバー19の下方揺動状態で、該スナップレバー19の先端部19ａの底部が接地する傾斜座部13ｂを設けている。
【００３２】
更に、側板13ａの内側面適所には梃子杆15基端部の上限及び下限に位置対応してその基端部の上下面の夫々に当接するストッパー24、24ａを設け、側板13ａの外側面適所にはスイッチレバー20の上限及び下限に位置対応してその上下面の夫々に当接するストッパー25、25ａを設けている。
【００３３】
上記の様に構成されたスナップアクションリンク機構部18には、スナップレバー19の上方揺動状態を補助するスペーサ26を設けている。
【００３４】
このスペーサ26は、スナップレバー19の先端部19ａ間に配置可能と成す様に、先端部19ａの間隙より若干薄肉にして四角が丸みを有する矩形板状に形成され、その短尺な一辺部26ａがスナップレバー19の下方揺動状態で傾斜座部13ｂ上に沿って接地されると共に、一辺部26ａ側寄りの上向き角部26ｂを支軸22を以て枢着している（図２、６参照）。
【００３５】
又、スペーサ26は、スナップレバー19の上方揺動時に支軸22を支点として自重回転（図６において左回り）して傾斜座部13ｂ上にその一辺部26ａが直立する様に設定されると共に、該一辺部26ａの直立状態で角部26ｂの対角部側から適宜に延出形成したアーム27の突端部27ａを、梃子杆15の下方揺動時の軌道上であって、梃子杆15の下方揺動時に梃子杆15の適所（円筒部15ａの前方湾出部）が押圧して一辺部26ａを傾斜座部13ｂ上に復位させる様にスペーサ26を前記と逆方向（図７において右回り）に回転させる位置に配置している（図３、７参照）。
【００３６】
尚、スペーサ26には、上記自重回転及びその逆回転を良好となす様に、支軸（角部26ｂ）の遠心側、即ち一辺部26ａを傾斜座部13ｂ上に沿って接地させた状態で角部26ｂに上方垂直に対向する角部の両面に円板状の重り28を固着している。
【００３７】
上記の様に構成されたポンピングトラップにあっては、弁箱１内のドレンＤが低水位の時には、フロート14が下降して梃子杆15が下向き傾斜し、同様にスイッチレバー20が下向き傾斜しており、該スイッチレバー20及び梃子杆15の反対側でスナップレバー19が下向き傾斜してその先端部19ａの底部が支柱13の下端部に突設した傾斜座部13ｂ上にスペーサ26の一辺部26ａと共に接地し、両レバー19、20の下向き傾斜状態が引張コイルバネ21によって保持されている。
【００３８】
下向き傾斜しているスナップレバー19の下方揺動状態によって昇降杆12は降下し、吸入弁４が閉弁すると共に排出弁５が開弁して弁箱１内の圧力はドレン発生機器内と等圧となっており、ドレン発生機器から発生するドレンＤは入口側の逆止弁を押し開いて弁箱１内に流れ込んで溜まる（図２、６参照）。
【００３９】
そして、ドレンＤが設定水位に達した時のフロート14の浮上位置に応じて梃子杆15が上方揺動すると、円筒部15内に突入している凸部17の先端がスリーブカバー23ａを介して基軸23を上方押圧し、スイッチレバー20を上方揺動させ、これにより発動する引張コイルバネ21の付勢力によってスナップレバー19が撥ね上がる様に上方揺動する。
【００４０】
すると、昇降杆12が上昇し、図４に示す様に排出弁５が閉弁すると共に吸入弁４が開弁して弁箱１内に駆動流体を導入する。
【００４１】
同時にスペーサ26は支軸22を支点として自重回転して傾斜座部13ｂ上に一辺部26ａが直立し、支軸22を傾斜座部13ｂの上方に保持する（図３、７参照）。
【００４２】
これにより、例え吸入弁４から弁箱１内により高圧な駆動流体を導入することによって吸入弁４を強制的に閉弁させて昇降杆12を介してスナップレバー19を下方へ押し下げる力が働いたとしても、スナップレバー19の上方揺動状態が強固に保持される。
【００４３】
よって、排出弁５の閉弁状態と吸入弁４の開弁状態（図４参照）が維持され、弁箱１内にドレンＤを高所まで圧送可能なより高圧な駆動流体でも弁箱１内に充分に導入でき、該弁箱１の内圧を充分にして迅速に上昇させられ、ドレンＤは出口側の逆止弁を押し開いて良好に圧送される。
【００４４】
そして、ドレンＤの圧送後、ドレンＤの水位が低下し、フロート14が下降して梃子杆15が下方揺動すると、やがて梃子杆15の円筒部15ａの前方湾出部がアーム27の突端部27ａに接触し、その後も梃子杆15の下方揺動が進行して突端部27ａを左回りに押圧することにより、スペーサ26の一辺部26ａが傾斜座部13ｂ上で直立して支軸22を傾斜座部13ｂの上方に保持している状態が解除されることとなり、スペーサ26は上記と逆方向に回転して一辺部26ａを傾斜座部13ｂ上に沿って接地する様に復位する。
【００４５】
同時に、下方揺動する梃子杆15の円筒部15ａの後方湾出している内壁がスリーブカバー23ａを介して基軸23を下方押圧し、スイッチレバー20を下方揺動させ、これにより発動する引張コイルバネ21の付勢力によってスナップレバー19が撥ね返される様に下方揺動する。
【００４６】
そして、スナップレバー19の下方揺動により、昇降杆12が下降し、排出弁５が開弁すると共に吸入弁４が閉弁して弁箱１内はドレンＤの貯留可能状態に復帰する。
【符号の説明】
【００４７】
１    弁箱
２    流入口
３    流出口
４    吸入弁
５    排出弁
12    昇降杆
13    支柱
13ｂ  傾斜座部
14    フロート
15    梃子杆
18    スナップアクションリンク機構部
19    スナップレバー
19ａ  先端部
22    支軸
26    スペーサ
26ａ  一辺部
26ｂ  上向き角部
27    アーム
27ａ  突端部
Ｄ    ドレン
【図１】
2018062994.tif 000003
【図２】
2018062994.tif 000004
【図３】
2018062994.tif 000005
【図４】
2018062994.tif 000006
【図５】
2018062994.tif 000007
【図６】
2018062994.tif 000008
【図７】
2018062994.tif 000009
【図８】
2018062994.tif 000010